(57)【要約】【課題】  耐衝撃性を向上させて外的な衝撃を受けても出力音圧と歪率の変化が起こり難い電気音響変換器を提供する。【解決手段】  筐体２２内にアーマチュア２、ヨーク３、コイル４、一対のマグネット５，６などからなる駆動部１を配置した電気音響変換器において、アーマチュア２の背板部１１の外側面１１ａと筐体２２を形成するケース２０の内壁２０ｃとの間に弾性体３０を設け、落下衝撃のような過渡的な衝撃を受けた場合でも、弾性体３０がアーマチュア２の背板部１１の捩れなどを抑制し、中央板１４と背板部１１との接続部である曲げ部１５が塑性変形を起こさないようにすることにより、アーマチュア２の中央板１４の位置ずれによる出力音圧と歪率の変化を防止する。【選択図】        図２
2006041768.tif 000002
【特許請求の範囲】
【請求項１】
筐体内にアーマチュア、ヨーク、コイル、一対のマグネットなどからなる駆動部を配置した電気音響変換器において、前記アーマチュアと前記筐体の内壁の間に弾性体を設けたことを特徴とする電気音響変換器。
【請求項２】
筐体内にアーマチュア、ヨーク、コイル、一対のマグネットなどからなる駆動部を配置した電気音響変換器において、前記アーマチュアの背板部の外側面と前記筐体の内壁の間に弾性体を設けたことを特徴とする電気音響変換器。
【請求項３】
筐体内にアーマチュア、ヨーク、コイル、一対のマグネットなどからなる駆動部を配置した電気音響変換器において、前記アーマチュアの背板部の上面と前記筐体の内壁の間に弾性体を設けたことを特徴とする電気音響変換器。
【請求項４】
筐体内にアーマチュア、ヨーク、コイル、一対のマグネットなどからなる駆動部を配置した電気音響変換器において、前記アーマチュアの背板部の下面と前記コイルのリードの間に弾性体を設けたことを特徴とする電気音響変換器。
【請求項５】
筐体内にアーマチュア、ヨーク、コイル、一対のマグネットなどからなる駆動部を配置した電気音響変換器において、前記アーマチュアの中央板上下両面又はどちらか一方が前記コイルの内壁と弾性体によりブリッジされていることを特徴とする電気音響変換器。
【請求項６】
筐体内にアーマチュア、ヨーク、コイル、一対のマグネット
などからなる駆動部を配置した電気音響変換器において、前記アーマチュアの両側板部の内外両面又はどちらか一方と前記コイルの外壁、もしくはケースの内壁との間に弾性体を設けたことを特徴とする電気音響変換器。
【発明の詳細な説明】
【技術分野】
【０００１】
本発明は、筐体内にアーマチュア、ヨーク、コイル、一対のマグネットなどからなる駆動部を配置した電気音響変換器に関する。
【背景技術】
【０００２】
補聴器などに用いられる従来の電気音響変換器としては、ケースとカバーからなる筐体内にアーマチュア、ヨーク、コイル、一対のマグネットなどからなる駆動部を配置し、アーマチュアを形成する板状部材の側板内側とヨークの側面を接着などにより固定し、更にヨークの下面とケースの底面を固定することにより、アーマチュアを形成する板状部材がヨークを介して筐体に固定されることが知られている（例えば、特許文献１参照）。
【０００３】
【特許文献１】特開昭５８−９９０９９号公報
【発明の開示】
【発明が解決しようとする課題】
【０００４】
しかし、従来の電気音響変換器においては、板状部材により形成されているアーマチュアは、中央板から離れた側板内側でヨークの側面と溶接や接着などにより固定されているため、例えば補聴器を落としてしまった場合のように、外的な衝撃を受けると、中央板の過度の振動などによって板状部材の一部に塑性変形が生じ、側板と平行に形成されているアーマチュアの中央板の位置がずれて、出力音圧と歪率が共に変化してしまうという問題がある。
【０００５】
本発明は、従来の技術が有するこのような問題点に鑑みてなされたものであり、その目的とするところは、耐衝撃性を向上させて外的な衝撃を受けても出力音圧と歪率の変化が起こり難い電気音響変換器を提供しようとするものである。
【課題を解決するための手段】
【０００６】
上記課題を解決すべく請求項１に係る発明は、筐体内にアーマチュア、ヨーク、コイル、一対のマグネットなどからなる駆動部を配置した電気音響変換器において、前記アーマチュアと前記筐体の内壁の間に弾性体を設けた。
【０００７】
請求項２に係る発明は、筐体内にアーマチュア、ヨーク、コイル、一対のマグネットなどからなる駆動部を配置した電気音響変換器において、前記アーマチュアの背板部の外側面と前記筐体の内壁の間に弾性体を設けた。
【０００８】
請求項３に係る発明は、筐体内にアーマチュア、ヨーク、コイル、一対のマグネットなどからなる駆動部を配置した電気音響変換器において、前記アーマチュアの背板部の上面と前記筐体の内壁の間に弾性体を設けた。
【０００９】
請求項４に係る発明は、筐体内にアーマチュア、ヨーク、コイル、一対のマグネットなどからなる駆動部を配置した電気音響変換器において、前記アーマチュアの背板部の下面と前記コイルのリードの間に弾性体を設けた。
【００１０】
請求項５に係る発明は、筐体内にアーマチュア、ヨーク、コイル、一対のマグネットなどからなる駆動部を配置した電気音響変換器において、前記アーマチュアの中央板上下両面又はどちらか一方が前記コイルの内壁と弾性体によりブリッジされている。
【００１１】
請求項６に係る発明は、筐体内にアーマチュア、ヨーク、コイル、一対のマグネットなどからなる駆動部を配置した電気音響変換器において、前記アーマチュアの両側板部の内外両面又はどちらか一方と前記コイルの外壁、もしくはケースの内壁との間に弾性体を設けた。
【発明の効果】
【００１２】
以上説明したように請求項１に係る発明によれば、落下衝撃のような過渡的な衝撃を受けた場合でも、弾性体がアーマチュアの捩れなどの変位を抑制して塑性変形を起こり難くするため、アーマチュアの位置ずれによる出力音圧と歪率が変化するのを防止することができる。
【００１３】
請求項２に係る発明によれば、落下衝撃のような過渡的な衝撃を受けた場合でも、弾性体がアーマチュアの背板部の捩れなどを抑制し、中央板と背板部との接続部（曲げ部）が塑性変形を起こし難くなるため、アーマチュアの位置ずれによる出力音圧と歪率が変化するのを防止することができる。
【００１４】
請求項３に係る発明によれば、落下衝撃のような過渡的な衝撃を受けた場合でも、弾性体がアーマチュアの背板部の上面方向への変位を抑制し、中央板と背板部との接続部（曲げ部）が塑性変形を起こし難くなるため、アーマチュアの位置ずれによる出力音圧と歪率が変化するのを防止することができる。
【００１５】
請求項４に係る発明によれば、落下衝撃のような過渡的な衝撃を受けた場合でも、弾性体がアーマチュアの背板部の下面方向への変位を抑制し、中央板と背板部との接続部（曲げ部）が塑性変形を起こし難くなるため、アーマチュアの位置ずれによる出力音圧と歪率が変化するのを防止することができる。
【００１６】
請求項５に係る発明によれば、落下衝撃のような過渡的な衝撃を受けた場合でも、弾性体がアーマチュアの中央板の変位を抑制し、中央板と背板部との接続部（曲げ部）が塑性変形を起こし難くなるため、アーマチュアの位置ずれによる出力音圧と歪率が変化するのを防止することができる。
【００１７】
請求項６に係る発明によれば、落下衝撃のような過渡的な衝撃を受けた場合でも、弾性体が側板部の撓りと変位を抑制することにより、背板部の変位を抑制し、中央板と背板部との接続部（曲げ部）が塑性変形を起こし難くなるため、アーマチュアの位置ずれによる出力音圧と歪率が変化するのを防止することができる。
【発明を実施するための最良の形態】
【００１８】
以下に本発明の実施の形態を添付図面に基づいて説明する。ここで、図１は本発明に係る電気音響変換器を構成する駆動部の分解斜視図、図２乃至図６は本発明に係る電気音響変換器の第１乃至第５実施の形態の一部を切り欠いて内部を示した平面図（ａ）と断面図（ｂ），（ｃ）、図７及び図８は他のアーマチュアの平面図（ａ）と断面図（ｂ）と背面図（ｃ）である。
【００１９】
本発明に係る電気音響変換器を構成する駆動部１は、図１に示すように、アーマチュア２、ヨーク３、コイル４、一対のマグネット５，６、ロッド７からなる。
【００２０】
アーマチュア２は、軟磁性材料の金属板を平面視で略Ｅ字状に折り曲げ加工した板状部材で、背板部１１と、背板部１１の両端部より平行に延びた側板部１２，１３と、背板部１１の中央部より側板部１２，１３の間に延びた中央板１４からなる。
【００２１】
中央板１４と背板部１１との接続部には、ほぼ直角に折り曲げられた曲げ部１５が形成されている。また、背板部１１と側板部１２，１３との接続部にも、ほぼ直角に折り曲げられた曲げ部１６，１７が形成されている。
【００２２】
図２乃至図５に示すように、ヨーク３の相対向する内壁には、板状のマグネット５，６が固着され、ヨーク３とコイル４は夫々の貫通孔３ａ，４ａが繋がるように接続されている。更に、中央板１４がコイル４とマグネット５，６に接触しないように、その先端部１４ａが突出するまで貫通孔３ａ，４ａに挿入され、側板部１２，１３の内側面１２ａ，１３ａがヨーク３の外側面に溶接又は接着により固定されている。
【００２３】
コイル４には、アーマチュア２の背板部１１側に延出する一対のリード４ｂ，４ｃが設けられている。また、中央板１４の先端部１４ａには、ロッド７が中央板１４の上面１４ｂと直角になるように、ロッド７の一端７ａが固定されている。
【００２４】
本発明に係る電気音響変換器の第１実施の形態は、図２に示すように、ケース２０とカバー２１などからなる筐体２２内に駆動部１が収納され、駆動部１はヨーク３の下面がケース２０の底面に固定されることによりケース２０に固定されている。また、ロッド７の他端７ｂは、振動板２３に開けられた貫通孔に挿入され固定されている。
【００２５】
振動板２３は、振動板枠２４に張設されたフィルム２５に接着され、ロッド７を介して中央板１４の先端部１４ａの動きと連動するように構成されている。なお、振動板枠２４はケース２０とカバー２１により挟装され、筐体２２の一部となっている。コイル４に設けた一対のリード４ｂ，４ｃは、ケース２０に形成した貫通孔を通って、その先端を曲げて端子板２６に固定されている。ケース２０に形成した貫通孔はリード４ｂ，４ｃを通した後に、紫外線硬化接着剤などで塞がれている。
【００２６】
更に、アーマチュア２の背板部１１の外側面１１ａとケース２０の内壁２０ｃとの間に、弾性体３０を設けている。弾性体３０を設ける箇所は、外側面１１ａの中央部一箇所でも、外側面１１ａの左右２箇所でも、外側面１１ａの３箇所以上であってもよい。
【００２７】
弾性体３０としては、紫外線硬化樹脂を用いるのが最も作業性がよいが、シリコンゴムを用いることもできる。紫外線硬化樹脂を用いる場合には、紫外線硬化樹脂を背板部１１の外側面１１ａとケース２０の内壁２０ｃとの間に充填し、充填した紫外線硬化樹脂に紫外線を照射して硬化させれば、弾性体３０が形成される。
【００２８】
なお、３１は音導部で、筐体２２内に配置された駆動部１と振動板２３などにより電気・音響変換された音響信号を、筐体２２に形成された音口３２から外部に導くものである。
【００２９】
このように、弾性体３０を背板部１１の外側面１１ａとケース２０の内壁２０ｃとの間に設けることにより、本発明に係る電気音響変換器を適用した補聴器を床などに落下させた場合でも、落下衝撃に伴う中央板１４の振動による背板部１１の捩れ抑制し、中央板１４と背板部１１との接続部である曲げ部１５の角度の開きを抑えて、曲げ部１５が弾性変形を超えて塑性変形になり難くなる。
【００３０】
従って、曲げ部１５が塑性変形に達せず弾性変形に留まるので、補聴器を落下させても中央板１４の先端部１４ａの位置ずれが起こり難くなり、電気音響変換器としての出力音圧及び歪率が変化するのを防止することができる。
【００３１】
次に、本発明に係る電気音響変換器の第２実施の形態は、図３に示すように、アーマチュア２の背板部１１の上面１１ｂとケース２０の内壁２０ｃとの間に、弾性体３０を設けている。弾性体３０を設ける箇所は、上面１１ｂの中央部一箇所でも、上面１１ｂの左右２箇所でも、上面１１ｂの３箇所以上であってもよい。その他の構成は、図２に示す第１実施の形態と同様である。
【００３２】
このように、弾性体３０を背板部１１の上面１１ｂとケース２０の内壁２０ｃとの間に設けることにより、本発明に係る電気音響変換器を適用した補聴器を床などに落下させた場合でも、落下衝撃に伴う背板部１１の内壁２０ｃ側への変位を抑制し、中央板１４と背板部１１との接続部である曲げ部１５の角度の開きを抑えて、曲げ部１５が弾性変形を超えて塑性変形になり難くなる。
【００３３】
従って、曲げ部１５が塑性変形に達せず弾性変形に留まるので、補聴器を落下させても中央板１４の先端部１４ａの位置ずれが起こり難くなり、電気音響変換器としての出力音圧及び歪率が変化するのを防止することができる。
【００３４】
次に、本発明に係る電気音響変換器の第３実施の形態は、図４に示すように、アーマチュア２の背板部１１の下面１１ｃとコイル４のリード４ｂ，４ｃの上面との間に、弾性体３０を設けている。その他の構成は、図２に示す第１実施の形態と同様である。
【００３５】
このように、弾性体３０を背板部１１の下面１１ｃとコイル４のリード４ｂ，４ｃの上面との間に設けることにより、本発明に係る電気音響変換器を適用した補聴器を床などに落下させた場合でも、落下衝撃に伴う背板部１１のリード４ｂ，４ｃ側への変位を抑制し、中央板１４と背板部１１との接続部である曲げ部１５の角度の開きを抑えて、曲げ部１５が弾性変形を超えて塑性変形になり難くなる。
【００３６】
従って、曲げ部１５が塑性変形に達せず弾性変形に留まるので、補聴器を落下させても中央板１４の先端部１４ａの位置ずれが起こり難くなり、電気音響変換器としての出力音圧及び歪率が変化するのを防止することができる。
【００３７】
次に、本発明に係る電気音響変換器の第４実施の形態は、図５に示すように、中央板１４の背板部１１側の上下両面１４ｂ，１４ｃとコイル４の内壁４ｄとの間にブリッジするように弾性体３０を設けている。弾性体３０を設ける箇所は、前記上下両面１４ｂ，１４ｃの中央部一箇所でも、２箇所でも、３箇所以上であってもよい。なお、弾性体３０は、前記上下両面１４ｂ，１４ｃのどちらか一方とコイル４の内壁４ｄとの間に設けてもよい。その他の構成は、図２に示す第１実施の形態と同様である。
【００３８】
このように、弾性体３０を中央板１４の背板部１１側の上下両面１４ｂ，１４ｃとコイル４の内壁４ｄとの間に設けることにより、本発明に係る電気音響変換器を適用した補聴器を床などに落下させた場合でも、落下衝撃に伴う中央板１４の先端部１４ａの変位を抑制し、中央板１４と背板部１１との接続部である曲げ部１５の角度の開きを抑えて、曲げ部１５が弾性変形を超えて塑性変形になり難くなる。
【００３９】
従って、曲げ部１５が塑性変形に達せず弾性変形に留まるので、補聴器を落下させても中央板１４の先端部１４ａの位置ずれが起こり難くなり、電気音響変換器としての出力音圧及び歪率が変化するのを防止することができる。
【００４０】
次に、本発明に係る電気音響変換器の第５実施の形態は、図６に示すように、アーマチュア２の側板部１２，１３の内面１２ａ，１３ａとコイル４の側面との間と、アーマチュア２の側板部１２，１３の外面１２ｂ，１３ｂとケース２０の内壁との間に弾性体３０を設けている。なお、弾性体３０は、前記内外両面１２ａ，１２ｂ，１３ａ，１３ｂのどちらか一方とコイル４の側面、もしくはケース２０の内壁との間に設けてもよい。その他の構成は、図２に示す第１実施の形態と同様である。
【００４１】
このように、弾性体３０をアーマチュア２の側板部１２，１３の内面１２ａ，１３ａとコイル４の側面との間と、アーマチュア２の側板部１２，１３の外面１２ｂ，１３ｂとケース２０の内壁との間に弾性体３０を設けることにより、本発明に係る電気音響変換器を適用した補聴器を床などに落下させた場合でも、落下衝撃に伴う中央板１４の先端部１４ａの変位を抑制し、中央板１４と背板部１１との接続部である曲げ部１５の角度の開きを抑えて、曲げ部１５が弾性変形を超えて塑性変形になり難くなる。
【００４２】
従って、曲げ部１５が塑性変形に達せず弾性変形に留まるので、補聴器を落下させても中央板１４の先端部１４ａの位置ずれが起こり難くなり、電気音響変換器としての出力音圧及び歪率が変化するのを防止することができる。
【００４３】
また、図１に示すアーマチュア２に限らず、図７に示すアーマチュア４０や図８に示すアーマチュア５０を用いることができる。
アーマチュア４０は、図７に示すように、軟磁性材料の金属板を平面視で略Ｅ字状に折り曲げ加工した板状部材で、背板部４１と、背板部４１の両端部より平行に延びた側板部４２，４３と、背板部４１の中央部より側板部４２，４３の間に延びた中央板４４からなる。
【００４４】
アーマチュア４０の場合には、背板部４１の外側面４１ａとケース２０の内壁２０ｃとの間、背板部４１の下面４１ｃとコイル４のリード４ｂ，４ｃの上面との間、中央板４４の背板部４１近傍の上下両面４４ｂ，４４ｃとコイル４の内壁４ｄとの間、側板部４２，４３の内面４２ａ，４３ａとコイル４の側面との間、側板部４２，４３の外面４２ｂ，４３ｂとケース２０の内壁との間に、弾性体３０を設けることができる。
【００４５】
このような箇所に弾性体３０を設ければ、本発明に係る電気音響変換器を適用した補聴器を床などに落下させた場合でも、落下衝撃に伴う中央板４４の先端部４４ａの変位を抑制し、中央板４４と背板部４１との接続部４５が弾性変形を超えて塑性変形になり難くなる。
【００４６】
従って、接続部４５が塑性変形に達せず弾性変形に留まるので、補聴器を落下させても中央板４４の先端部４４ａの位置ずれが起こり難くなり、電気音響変換器としての出力音圧及び歪率が変化するのを防止することができる。
【００４７】
アーマチュア５０は、図８に示すように、軟磁性材料の金属板を平面視で略Ｅ字状に折り曲げ加工した板状部材で、背板部５１と、背板部５１の両端部より平行に延びた側板部５２，５３と、背板部５１の中央部より略Ｕ字状に折り曲げられた曲げ部５５を介して側板部５２，５３の間に延びた中央板５４からなる。
【００４８】
アーマチュア５０の場合には、曲げ部５５とケース２０の内壁２０ｃとの間、曲げ部５５の下部５５ｃとコイル４のリード４ｂ，４ｃの上面との間、中央板４４の曲げ部５５近傍の上下両面５４ｂ，５４ｃとコイル４の内壁４ｄとの間、側板部５２，５３の内面５２ａ，５３ａとコイル４の側面との間、側板部５２，５３の外面５２ｂ，５３ｂとケース２０の内壁との間に、弾性体３０を設けることができる。
【００４９】
このような箇所に弾性体３０を設ければ、本発明に係る電気音響変換器を適用した補聴器を床などに落下させた場合でも、落下衝撃に伴う中央板５４の先端部５４ａの変位を抑制し、中央板５４と背板部５１との接続部である曲げ部５５が弾性変形を超えて塑性変形になり難くなる。
【００５０】
従って、曲げ部５５が塑性変形に達せず弾性変形に留まるので、補聴器を落下させても中央板５４の先端部５４ａの位置ずれが起こり難くなり、電気音響変換器としての出力音圧及び歪率が変化するのを防止することができる。
【産業上の利用可能性】
【００５１】
耐衝撃性を向上させて外的な衝撃を受けても出力音圧と歪率の変化が起こり難い電気音響変換器を提供することにより、この電気音響変換器を適用した補聴器などの耐衝撃性が向上し、補聴器などの需要拡大に寄与する。
【図面の簡単な説明】
【００５２】
【図１】本発明に係る電気音響変換器を構成する駆動部の分解斜視図
【図２】本発明に係る電気音響変換器の第１実施の形態を示し、（ａ）は一部を切り欠いて内部を示した平面図、（ｂ），（ｃ）は共に断面図
【図３】本発明に係る電気音響変換器の第２実施の形態を示し、（ａ）は一部を切り欠いて内部を示した平面図、（ｂ），（ｃ）は共に断面図
【図４】本発明に係る電気音響変換器の第３実施の形態を示し、（ａ）は一部を切り欠いて内部を示した平面図、（ｂ），（ｃ）は共に断面図
【図５】本発明に係る電気音響変換器の第４実施の形態を示し、（ａ）は一部を切り欠いて内部を示した平面図、（ｂ），（ｃ）は共に断面図
【図６】本発明に係る電気音響変換器の第５実施の形態を示し、（ａ）は一部を切り欠いて内部を示した平面図、（ｂ），（ｃ）は共に断面図
【図７】他のアーマチュア構造体を示し、（ａ）は平面図、（ｂ）は断面図、（ｃ）は背面図
【図８】他のアーマチュア構造体を示し、（ａ）は平面図、（ｂ）は断面図、（ｃ）は背面図
【符号の説明】
【００５３】
１…駆動部、２…アーマチュア、３…ヨーク、４…コイル、４ｂ，４ｃ…リード、４ｄ…内壁、５，６…マグネット、７…ロッド、１１…背板部、１１ａ…外側面、１１ｂ…上面、１１ｃ…下面、１２，１３…側板部、１２ａ，１３ａ…内面、１２ｂ，１３ｂ…外面、１４…中央板、１４ａ…先端部、１４ｂ…中央板上面、１４ｃ…中央板下面、１５…曲げ部、２０…ケース、２０ｃ…内壁、２１…カバー、２２…筐体、３０…弾性体。
【図１】
2006041768.tif 000003
【図２】
2006041768.tif 000004
【図３】
2006041768.tif 000005
【図４】
2006041768.tif 000006
【図５】
2006041768.tif 000007
【図６】
2006041768.tif 000008
【図７】
2006041768.tif 000009
【図８】
2006041768.tif 000010